(57)【特許請求の範囲】
【請求項１】
活性汚泥を保持する曝気槽に排液を導入して生物処理し、該生物処理により発生した汚泥を沈殿槽に導いて沈殿分離し、分離汚泥の一部を曝気槽に返送し、曝気槽から沈殿槽に至る系路に沈降剤として、下記一般式（１）及び／又は（２）で表わされる単量体をａモル％、下記一般式（３）で表わされる単量体をｂモル％とし、ａとｂが１０≧ａ／ｂ≧０．７の条件を満たす範囲にあり、下記組成の（Ａ）塩水溶液中分散液からなる両性水溶性高分子あるいは（Ｂ）油中水型エマルジョンからなる両性水溶性高分子を添加することを特徴とする活性汚泥の流出を防止する方法。
（Ａ）塩水溶液中分散液からなる両性水溶性高分子
塩水溶液中に溶解可能な高分子からなる分散剤を共存させ、該塩水溶液中において下記一般式（１）及び／又は（２）で表わされる単量体５〜１００モル％、下記一般式（３）で表わされる単量体５〜５０モル％、非イオン性水溶性単量体０〜９０モル％からなる単量体混合物を攪拌下、分散重合し製造されたもの。
（Ｂ）下記一般式（１）及び／又は（２）で表わされる単量体５〜９０モル％、下記一般式（３）で表わされる単量体５〜５０モル％、非イオン性水溶性単量体０〜９０モル％からなる単量体混合物を水、少なくとも一種類の水と非混和性の炭化水素からなる油状物質、油中水型エマルジョンを形成するに有効な量とＨＬＢを有する少なくとも一種類の界面活性剤を混合し、強攪拌し油中水型エマルジョンを形成させた後、重合し製造されたもの。
【化１】
0005288576.tif 000008
一般式（１）
Ｒ１は水素又はメチル基、Ｒ２、Ｒ３は炭素数１〜３のアルキル基、アルコキシ基あるいはベンジル基、Ｒ４は水素、炭素数１〜３のアルキル基、アルコキシ基あるいはベンジル基であり、同種でも異種でも良い。Ａは酸素またはＮＨ、Ｂは炭素数２〜４のアルキレン基またはアルコキシレン基、Ｘ１は陰イオンをそれぞれ表わす。
【化２】
0005288576.tif 000009
一般式（２）
Ｒ５は水素又はメチル基、Ｒ６、Ｒ７は炭素数１〜３のアルキル基、アルコキシ基あるいはベンジル基、Ｘ２は陰イオンをそれぞれ表わす。
【化３】
0005288576.tif 000010
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオン。
【発明の詳細な説明】
【技術分野】
【０００１】
本発明は活性汚泥の流出防止方法に関する。さらに詳しくは活性汚泥を保持する曝気槽に排液を導入して生物処理し、該生物処理により発生した汚泥を沈殿槽に導いて沈殿分離し、分離汚泥の一部を曝気槽に返送し、曝気槽から沈殿槽に至る系路に沈降剤として塩水溶液中分散液からなる両性水溶性高分子あるいは前記油中水型エマルジョンからなる両性水溶性高分子を添加する活性汚泥の流出を防止する方法に関する。
【背景技術】
【０００２】
活性汚泥の混合液を沈降槽に送り沈殿分離する場合、沈降不良を起こす場合がある。原因は種々考えられるが、排水の変動によるＢＯＤ負荷の増加などにより活性汚泥がバルキングあるいはバルキングに近い状態を起こしている。このような状況の際、従来バルキング防止剤を添加していたが、添加量の調節が難しく、添加量が不足すると効果が全く認められず、過剰に添加すると活性汚泥微生物を死滅あるいは活性度の低下を起こす。これを改良するためバルキング防止剤とカチオン性凝集剤との混合物を適用する方法が試みられている（特許文献１）。一方、バルキング防止よりも汚泥の沈降を中心に対応する方法も試みられている。すなわちカチオン性の水溶性高分子を活性汚泥バッキ槽から沈殿槽間に添加し沈降を促進させ、活性汚泥の流出を防止する方法である（特許文献２）。この場合はカチオン性の水溶性高分子を適用しているので、汚泥微生物への悪影響が予想される。
【０００３】
【特許文献１】特開平６−７１２８６号公報
【特許文献２】特開２００１−２７６８７３号公報
【発明の開示】
【発明が解決しようとする課題】
【０００４】
本発明の目的は、活性汚泥を保持する曝気槽に排液を導入して生物処理する活性汚泥法において、混合液を沈殿槽に導いて沈殿分離し、分離汚泥の一部を曝気槽に返送する排液処理方法において、活性汚泥微生物への影響が少なく、また確実に活性汚泥の沈降を促進する方法を提供することである。
【課題を解決するための手段】
【０００５】
本発明者らは、上記課題を解決すべく鋭意検討を行った結果、以下のような発明に到達した。すなわち請求項１の発明は、活性汚泥を保持する曝気槽に排液を導入して生物処理し、該生物処理により発生した汚泥を沈殿槽に導いて沈殿分離し、分離汚泥の一部を曝気槽に返送し、曝気槽から沈殿槽に至る系路に沈降剤として、下記一般式（１）及び／又は（２）で表わされる単量体をａモル％、下記一般式（３）で表わされる単量体をｂモル％とし、ａとｂが１０≧ａ／ｂ≧０．７の条件を満たす範囲にあり、下記組成の（Ａ）塩水溶液中分散液からなる両性水溶性高分子あるいは（Ｂ）油中水型エマルジョンからなる両性水溶性高分子を添加することを特徴とする活性汚泥の流出を防止する方法である。
（Ａ）塩水溶液中分散液からなる両性水溶性高分子
塩水溶液中に溶解可能な高分子からなる分散剤を共存させ、該塩水溶液中において下記一般式（１）及び／又は（２）で表わされる単量体５〜１００モル％、下記一般式（３）で表わされる単量体５〜５０モル％、非イオン性水溶性単量体０〜９０モル％からなる単量体混合物を攪拌下、分散重合し製造されたもの。
（Ｂ）下記一般式（１）及び／又は（２）で表わされる単量体５〜９０モル％、下記一般式（３）で表わされる単量体５〜５０モル％、非イオン性水溶性単量体０〜９０モル％からなる単量体混合物を水、少なくとも一種類の水と非混和性の炭化水素からなる油状物質、油中水型エマルジョンを形成するに有効な量とＨＬＢを有する少なくとも一種類の界面活性剤を混合し、強攪拌し油中水型エマルジョンを形成させた後、重合し製造されたもの。
【化１】
0005288576.tif 000002
一般式（１）
Ｒ１は水素又はメチル基、Ｒ２、Ｒ３は炭素数１〜３のアルキル基、アルコキシ基あるいはベンジル基、Ｒ４は水素、炭素数１〜３のアルキル基、アルコキシ基あるいはベンジル基であり、同種でも異種でも良い。Ａは酸素またはＮＨ、Ｂは炭素数２〜４のアルキレン基またはアルコキシレン基、Ｘ１は陰イオンをそれぞれ表わす。
【化２】
0005288576.tif 000003
一般式（２）
Ｒ５は水素又はメチル基、Ｒ６、Ｒ７は炭素数１〜３のアルキル基、アルコキシ基あるいはベンジル基、Ｘ２は陰イオンをそれぞれ表わす。
【化３】
0005288576.tif 000004
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオン。
【発明の効果】
【０００６】
本発明の活性汚泥の流出防止方法は、活性汚泥を保持する曝気槽に排液を導入して生物処理し、該生物処理により発生した汚泥を沈殿槽に導いて沈殿分離し、
分離汚泥の一部を曝気槽に返送し、曝気槽から沈殿槽に至る系路に沈降剤として塩水中分散液からなる両性水溶性高分子を添加することからなる。前記両性水溶性高分子は、特定のカチオン性単量体５〜９０モル％、特定のアニオン性単量体５〜５０モル％、特定の非イオン性水溶性単量体０〜９０モル％からなる単量体組成からなる塩水溶液中分散液あるいは油中水型高分子エマルジョンである。すなわち活性汚泥法は一般的にｐＨ５〜８の範囲で処理される。一方、両性水溶性高分子はこの範囲で分子間あるいは分子内イオンコンプレックスを形成するため、このイオンコンプレックスが汚泥に作用するため優れた凝集作用を示す。またイオンコンプレックスのため直接カチオン性基が汚泥微生物に作用しないことにより悪影響が少ないなどカチオン性水溶性高分子に較べ長所を有する。
【発明を実施するための最良の形態】
【０００７】
本発明で使用する塩水中分散液からなる両性水溶性高分子は、以下の操作によって製造することができる。すなわち塩水溶液中に分散した高分子微粒子分散液からなる水溶性重合体は、特開昭６２−１５２５１号公報などによって製造することができる。この方法は、カチオン性単量体あるいはカチオン性単量体と非イオン性単量体を、塩水溶液中で該塩水溶液に可溶なイオン性高分子からなる分散剤共存下で、攪拌しながら製造された粒系１００ｍμ以下の高分子微粒子の分散液からなるもである。イオン性高分子からなる分散剤は、ジメチルジアリルアンモニウム塩化物、（メタ）アクリロイルオキシエチルトリメチルアンモニウム塩化物の単独重合体や非イオン性単量体との共重合体を使用する。塩水溶液を構成する無機塩類は、多価アニオン塩類が、より好ましく、硫酸塩又は燐酸塩が適当であり、具体的には、硫酸アンモニウム、硫酸ナトリウム、硫酸マグネシウム、硫酸アルミニウム、燐酸水素アンモニウム、燐酸水素ナトリウム、燐酸水素カリウム等を例示することができ、これらの塩を濃度１５％以上の水溶液として用いることが好ましい。
【０００８】
一方、油中水型両性水溶性高分子エマルジョンの製造方法としては、カチオン性単量体、あるいはカチオン性単量体と共重合可能な単量体からなる単量体混合物を水、少なくとも水と非混和性の炭化水素からなる油状物質、油中水型エマルジョンを形成するに有効な量とＨＬＢを有する少なくとも一種類の界面活性剤を混合し、強攪拌し油中水型エマルジョンを形成させた後、重合することにより合成する。
【０００９】
分散媒として使用する炭化水素からなる油状物質の例としては、パラフィン類あるいは灯油、軽油、中油などの鉱油、あるいはこれらと実質的に同じ範囲の沸点や粘度などの特性を有する炭化水素系合成油、あるいはこれらの混合物があげられる。
【００１０】
油中水型両性水溶性高分子エマルジョンを形成するに有効な量とＨＬＢを有する少なくとも一種類の界面活性剤の例としては、ＨＬＢ３〜１１のノニオン性界面活性剤であり、その具体例としては、ソルビタンモノオレ−ト、ソルビタンモノステアレ−ト、ソルビタンモノパルミテ−トなどがあげられる。これら界面活性剤の添加量としては、油中水型エマルジョン全量に対して０．５〜１０重量％であり、好ましくは１〜５重量％である。
【００１１】
重合後は、転相剤として用いられる親水性界面化成剤を添加して油の膜で被われたエマルジョン粒子が水になじみ易くし、中の水溶性高分子が溶解しやすくする処理を行い、水で希釈しそれぞれの用途に用いる。親水性界面化成剤の例としては、カチオン性界面化成剤やＨＬＢ９〜１５のノニオン性界面化成剤であり、ポリオキシエチレンアルキルエ−テル系、ポリオキシエチレンアルコールエ−テル系などである。
【００１２】
重合濃度は、２０〜５０重量％であり、好ましくは２５〜４０重量％であり、塩水溶液中分散重合なら１５〜３５重量％、好ましくは２０〜３０重量％である。重合温度としては、０〜８０℃であり、好ましくは２０〜５０℃、最も好ましくは２０〜４０℃であり、単量体の組成、重合法、開始剤の選択によって適宜重合温度を設定する。
【００１３】
塩水中分散液からなる両性水溶性高分子あるいは油中水型エマルジョンからなる両性水溶性高分子製造をする場合に使用する単量体は以下の通りである。カチオン性単量体の例としては、一般式（１）で表される（メタ）アクリル酸ジメチルアミノエチルやジメチルアミノプロピル（メタ）アクリルアミド、メチルジアリルアミンなどの重合体や共重合体が上げられ、四級アンモニウム基含重合体の例は、前記三級アミノ含有単量体の塩化メチルや塩化ベンジルによる四級化物である（メタ）アクリロイルオキシエチルトリメチルアンモニウム塩化物、（メタ）アクリロイルオキシ２−ヒドロキシプロピルトリメチルアンモニウム塩化物、（メタ）アクリロイルアミノプロピルトリメチルアンモニウム塩化物、（メタ）アクリロイルオキシエチルジメチルベンジルアンモニウム塩化物、（メタ）アクリロイルオキシ２−ヒドロキシプロピルジメチルベンジルアンモニウム塩化物、（メタ）アクリロイルアミノプロピルジメチルベンジルアンモニウム塩化物などである。また、一般式（２）で表されるジメチルジアリルアンモニウム系単量も使用可能であり、その例としてジメチルジアリルアンモニウム塩化物、ジアリルメチルベンジルアンモニウム塩化物などである。
【００１４】
アニオン性単量体の例としては、ビニルスルホン酸、ビニルベンゼンスルホン酸あるいは２−アクリルアミド２−メチルプロパンスルホン酸、メタクリル酸、アクリル酸、イタコン酸、マレイン酸あるいはｐ−カルボキシスチレンなどである。
【００１５】
非イオン性単量体の例としては、（メタ）アクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミドアクリロイルモルホリン、アクリロイルピペラジンなどがあげられる。
【００１６】
各単量体のモル比は、通常カチオン性水溶性単量体５〜９０モル％、アニオン性水溶性単量体５〜５０モル％、非イオン性水溶性単量体０〜９０モル％であるが、カチオン性水溶性単量体およびアニオン性水溶性単量体のモル％をそれぞれａモル％およびｂモル％とする時、１０≧ａ／ｂ≧０．７の範囲にあることが特に好ましい。
【００１７】
重合開始は、ラジカル重合開始剤を用いる。油中水型両性水溶性高分子エマルジョン製造の場合は、開始剤は油溶性あるいは水溶性のどちらでも良いが、塩水中分散液からなる両性水溶性高分子製造は、水溶性開始剤が好ましい。これら開始剤はアゾ系,過酸化物系、レドックス系いずれでも重合することが可能である。油溶性アゾ系開始剤の例としては、２、２’−アゾビスイソブチロニトリル、１、１’−アゾビス（シクロヘキサンカルボニトリル）、２、２’−アゾビス（２−メチルブチロニトリル）、４、４−アゾビス（４−メトキシ−２、４ジメチル）バレロニトリルなどがあげられ、水混溶性溶剤に溶解し添加する。水溶性アゾ系開始剤の例としては、２、２’−アゾビス（アミジノプロパン）二塩化水素化物、２、２’−アゾビス〔２−（５−メチル−２−イミダゾリン−２−イル）プロパン〕二塩化水素化物、４、４’−アゾビス（４−シアノ吉草酸）などがあげられる。またレドックス系の例としては、ペルオクソ二硫酸アンモニウムと亜硫酸ナトリウム、亜硫酸水素ナトリウム、トリメチルアミン、テトラメチルエチレンジアミンなどとの組み合わせがあげられる。過酸化物の例としては、ペルオクソ二硫酸アンモニウムあるいはカリウム、過酸化水素、ベンゾイルペルオキサイド、ラウロイルペルオキサイドなどをあげることができる。
【００１８】
両性水溶性の分子量は１００万〜１０００万であるが、好ましくは１００万〜５００万である。１００万未満では、沈降性能が悪く、１０００万より高いと巨大フロックになり過ぎ細かな粒子を取りこぼすことがあり好ましくない。
【００１９】
本発明の活性汚泥の流出防止方法は、活性汚泥を保持する曝気槽に排液を導入して生物処理し、該生物処理により発生した汚泥を沈殿槽に導いて沈殿分離し、
分離汚泥の一部を曝気槽に返送し、曝気槽から沈殿槽に至る系路に沈降剤として塩水中分散液からなる両性水溶性高分子あるいは油中水型エマルジョンからなる両性水溶性高分子を添加することからなる。本発明で使用する両性水溶性高分子が効率良く汚泥を沈降させることができるのは以下のようであると考えられる。すなわち活性汚泥法は一般的にｐＨ５〜８の範囲で処理される。一方、両性水溶性高分子はこの範囲で分子間あるいは分子内イオンコンプレックスを形成するため、このイオンコンプレックスが汚泥に作用するため優れた凝集作用を示す。またイオンコンプレックスのため直接カチオン性基が汚泥微生物に作用しないことにより悪影響が少ないなどカチオン性水溶性高分子に較べ長所を有する。また特に塩水中分散液からなる両性水溶性高分子は、水に溶解した溶液の粘性が粉末品などに較べ低く汚泥分散液に分散しやすく、汚泥の沈降性が悪化した場合、対処が迅速にできるなどメリットが大きい。油中水型両性水溶性高分子エマルジョンも粉末に較べ溶解が早く、使い勝手が優れている。
【００２０】
本発明で使用する水溶性カチオンポリマーは水で任意の割合で容易に希釈または溶解され、かつ添加後すぐに効果を発揮するので、排液処理における被処理液の急激な増加や汚泥沈降不良などに対して迅速に対応することができ、処理水への活性汚泥の流出を迅速に防止することができる。また形成されるフロックは緻密で沈降性および圧密性に優れているので、固液分離を容易に行うことができ、このため処理水への活性汚泥の流出を簡単な操作で効率よく防止することができる。さらに少量の薬剤添加量で優れた沈降性改善効果を発揮するので、薬剤の使用量を少なくして低コストで処理することができる。
【００２１】
水溶性カチオンポリマーの添加位置は曝気槽から沈殿槽に至る系路であれば特に限定されず、例えば曝気槽、曝気槽から沈殿槽までの間の連絡路あるいは沈殿槽のセンターコア部などでそれぞれ添加することができる。また曝気槽から沈殿槽までの間に凝集槽を設けて添加することができる。曝気槽に添加する場合は曝気により撹拌されるので特別な撹拌を行う必要はなく、また曝気槽から沈殿槽までの間の連絡路に添加する場合も水が移送される際の撹拌で十分であるので特別な撹拌は必要ない。
【００２２】
水溶性カチオンポリマーの添加は連続的に行うこともできるし、間欠的に行うこともできる。また、活性汚泥の沈降性が悪化した場合、または悪化が予想される場合に添加することができる。
【００２３】
水溶性カチオンポリマーは、分散液またはエマルションの状態で添加することもできるし、水で希釈して添加することもできるし、水に溶解して添加することもできる。本発明で使用する塩水中分散液からなる両性水溶性高分子あるいは油中水型両性水溶性高分子エマルジョンは、水に溶解した溶液状態で添加すると直ちに汚泥と反応するため、新たに撹拌装置などを設けることなく、そのまま液の流動する系路に添加しても十分な沈降促進効果が得られるので好ましい。すなわち特に塩水中分散液からなる両性水溶性高分子は、溶解時の見かけ水溶液粘度が低いので汚泥への分散が良好であり、粉末形態の製品に較べ比較的高い濃度で添加が可能である。
【００２４】
添加時の水溶液濃度は、塩水溶液中分散液からなる両性水溶性高分子は０．０５〜１．０質量％、好ましくは０．１〜０．５質量％である。油中水型両性水溶性高分子エマルジョンは０．０５〜０．５質量％、好ましくは０．１〜０．３質量％である。添加量は、被処理液のＳＳ濃度などにより異なるが、被処理液に対して通常１〜５０ｍｇ／Ｌ、好ましくは２〜２０ｍｇ／Ｌとするのが望ましい。
【００２５】
（実施例）以下、実施例および比較例によって本発明をさらに詳しく説明するが、本発明はその要旨を超えない限り、以下の実施例に制約されるものではない。
【００２６】
（塩水溶液中分散両性水溶性高分子試料―１の調製）撹拌器、温度計、還流冷却器、窒素導入管を備えた五つ口セパラブルフラスコに、イオン交換水２０４．４ｇ、分散剤としてアクリロイルオキシエチルトリメチルアンモニウム塩化物単独重合物（２０％水溶液、分子量１２０万）、３０ｇ（対単量体６．０％）、硫酸アンモニウム１２５．０ｇ、アクリルアミド５０％水溶液１９．２ｇ、６０％水溶液アクリル酸１６．３ｇ、アクリロイルオキシエチルトリメチルアンモニウム塩化物、８０％水溶液９８．４ｇ及びメタクリロイルオキシエチルトリメチルアンモニウム塩化物を各々仕込み完全に溶解させた。また、重合度調節剤としてイソプロピルアルコール０．２ｇを加えた。内温を３３〜３５℃に保ち、３０分間窒素置換後、開始剤として２、２’−アゾビス〔２−（５−メチル−２−イミダゾリン−２−イル）プロパン〕二塩化水素化物の１％水溶液４．０ｇ（対単量体０．１％）を加え重合を開始させた。開始２．５時間後、反応物はやや粘度の上昇が観測され、２５分間その状態が継続したが、その後すぐに収まり分散液に移行した。開始８時間後、前記開始剤溶液を１．０ｇ追加しさらに８時間重合を行った。得られた分散液のしこみ単量体濃度は２０％であり、ポリマー粒径は１０μｍ以下、分散液の粘度はＢ型粘度計により２５℃において測定した結果６２０ｍＰａ・ｓであった。また、静的光散乱法による分子量測定器（大塚電子製ＤＬＳ−７０００）によって重量平均分子量を測定した。この試料を試料−１とする。結果を表１に示す。また同様の操作により試料ー２および試料―４を合成した。組成を表１、結果を表２に示す。
【００２７】
（油中水型両性水溶性高分子エマルジョン試料−５の調製）イオン交換水１５０．２ｇ、６０％水溶液アクリル酸２８．５ｇを仕込み、この中にアクリルアミド５０％水溶液３３．６ｇ、アクリロイルオキシエチルトリメチルアンモニウム塩化物、８０％水溶液１７２．２ｇ、イソプロピルアルコール０．３５ｇを各々仕込み完全に溶解させた。別に沸点１９０°Ｃないし２３０°Ｃのイソパラフィン１２６．０ｇにソルビタンモノオレート１５．０ｇを加え溶解させ、前記単量体溶液を混合し、ホモジナイザーにて３０００ｒｐｍで１０分間乳化した。生成したエマルジョンを攪拌機および温度制御装置を備えた反応槽に仕込み、内温を３３〜３５に保ち、窒素置換を３０分間行った。その後、４、４−アゾビス（４−メトキシ−２、４ジメチル）バレロニトリルをジオキサンに溶解した５％溶液を１．８ｇ（対単量体０．０５％）を加え重合を開始した。開始５時間後、前記開始剤溶液を０．９ｇ追加し更に５時間重合を継続した。これを試作−８とする。Ｂ型粘度計により２５℃において粘度を測定し、静的光散乱法による分子量測定器（大塚電子製ＤＬＳ−７０００）によって重量平均分子量を測定した。同様の操作により試料ー６〜試料―８を合成した。組成を表１、結果を表２に示す。
【００２８】
（表１）
0005288576.tif 000005
ＤＭＱ：アクロルオキシエチルトリメチルアンモニウムクロリド、
ＡＡＣ：アクリル酸、ＡＡＭ：アクリルアミド、製品粘度：ｍＰａ・ｓ
【００２９】
（表２）
0005288576.tif 000006
【実施例】
【００３０】
沈殿槽において沈降性が悪く流出トラブルが発生している活性汚泥、ＭＬＳＳ濃度２３００ｍｇ／Ｌ、ＳＶＩが１７０（ｍＬ／ｇ）を曝気槽から１０００ｍＬメスシリンダーに１０００ｍＬ採取し、表１の試料１〜試料８を対活性汚泥分散液５ｍｇ／Ｌ添加後転倒攪拌５回を行い静置し、対活性汚泥分散液の沈降性を比較するため５分後の沈降界面容積を測定した。その結果を表３に示す。
【００３１】
（比較試験）比較試験として実施例１と同様の操作により表１の比較１〜比較３を対活性汚泥分散液５ｍｇ／Ｌ添加し、対活性汚泥分散液の沈降性を比較するため５分後の沈降界面容積を測定した。その結果を表３に示す。 
【００３２】
（表３）
0005288576.tif 000007
添加量；対汚泥分散液（ｍｇ／Ｌ）、沈降界面容積（ｍＬ）
【産業上の利用可能性】
【００３３】
本発明の活性汚泥の流出防止方法は、活性汚泥を保持する曝気槽に排液を導入して生物処理する活性汚泥法において、混合液を沈殿槽に導いて沈殿分離し、分離汚泥の一部を曝気槽に返送する排液処理方法において、曝気槽から沈殿槽に至る系路に沈降剤として塩水溶液中分散液あるいは油中水型エマルジョンからなる両性水溶性高分子を添加する。活性汚泥法は一般的にｐＨ５〜８の範囲で処理される。一方、両性水溶性高分子はこの範囲で分子間あるいは分子内イオンコンプレックスを形成し汚泥に作用するため優れた凝集作用を示す。またイオンコンプレックスのため直接カチオン性基が汚泥微生物に作用しないことにより悪影響が少ないなどカチオン性水溶性高分子に較べ長所を有し、水処理分野において種々の適用が可能である。